(57)【要約】  撮像システムは、撮像ユニットと、表示ユニットと、少なくとも１つのプロセッサとを含む。少なくとも１つのプロセッサは、患者の第１の種類の診断撮像情報を取得し、第１の種類の診断撮像情報を用いて第１の画像を再構成し、撮像を終了するための第１の停止基準が満たされない場合、取得負担のレベルが高い第２の種類の診断撮像情報を取得し、第２の画像を再構成し、撮像を終了するための第２の停止基準が満たされない場合、取得負担のレベルが高い第３の種類の診断撮像情報を取得するよう構成され、患者は、第２の種類の診断撮像情報の取得、第２の画像の再構成、および第３の種類の診断撮像情報の取得の間に撮像ユニットのテーブル上に維持され、少なくとも１つのプロセッサはさらに、第３の画像を再構成し、第３の画像を表示するよう構成される。【選択図】図１
2019512307.tif 000002
【特許請求の範囲】
【請求項１】
１回の患者の訪問中に患者を漸進的に撮像するための撮像システム（１００）であって、
Ｘ線、コンピュータ断層撮影（ＣＴ）、核医学撮像（ＮＭ）、光子放射断層撮影（ＰＥＴ）、単一光子放出コンピュータ断層撮影（ＳＰＥＣＴ）、または磁気共鳴撮像（ＭＲＩ）のうちの１つを備える第１の撮像モダリティの撮像ユニット（１０２）と、
表示ユニットと、
前記撮像ユニット（１０２）および前記表示ユニットに動作可能に結合される少なくとも１つのプロセッサであって、前記少なくとも１つのプロセッサが、
前記撮像ユニット（１０２）で前記第１の撮像モダリティから前記患者の第１の種類の診断撮像情報を取得し、
前記第１の種類の診断撮像情報を用いて第１の画像を再構成し、
前記表示部を介して、前記第１の画像を表示し、
撮像を終了するための第１の停止基準が満たされていない場合、前記撮像ユニット（１０２）で前記第１の撮像モダリティの、前記第１の種類の診断撮像情報と比べて取得負担のレベルが高い第２の種類の診断撮像情報を取得し、
前記第２の種類の診断撮像情報を使用して第２の画像を再構成し、
前記表示ユニットを介して、前記第２の画像を表示し、
撮像を終了するための第２の停止基準が満たされていない場合、前記撮像ユニット（１０２）で前記第１の撮像モダリティの、前記第２の種類の診断撮像情報と比べて取得負担のレベルが高い第３の種類の診断撮像情報を取得するよう構成され、ここで、前記患者が前記第２の種類の診断撮像情報の前記取得、前記第２の画像の構築、および前記第３の種類の診断撮像情報の取得の間に前記撮像ユニット（１０２）のテーブルの上に維持され、
前記少なくとも１つのプロセッサがさらに、
前記第３の種類の診断撮像情報を使用して第３の画像を再構成し、
前記表示ユニットを介して、前記第３の画像を表示する、
少なくとも１つのプロセッサと、
を備える、撮像システム（１００）。
【請求項２】
所与の停止基準が、前記所与の停止基準が満たされたことに対応する入力が対応画像の表示後に所定の時間内に受信されない場合に、満たされないと、前記少なくとも１つのプロセッサが判定するようさらに構成される、請求項１に記載の撮像システム（１００）。
【請求項３】
前記第１のモダリティとは異なる第２のモダリティの第２の撮像ユニット（１０４）をさらに備え、前記少なくとも１つのプロセッサが、前記第３の種類の診断撮像情報を取得した後に前記第２の撮像ユニット（１０４）を使用して追加の撮像情報を取得するよう構成される、請求項１に記載の撮像システム（１００）。
【請求項４】
前記第１の種類の診断情報が、非造影コンピュータ断層撮影（ＣＴ）情報であり、前記第１の停止基準が、出血性脳卒中に対応する出血のレベルの判定に対応する、請求項１に記載の撮像システム（１００）。
【請求項５】
前記第２の種類の診断撮像情報が、多相ＣＴ血管造影（ＣＴＡ）であり、前記第２の停止基準が、血管の充分なレベルの側副路充満の判定に対応する、請求項４に記載の撮像システム（１００）。
【請求項６】
前記第３の種類の診断撮像情報は、ＣＴ灌流情報である、請求項５に記載の撮像システム（１００）。
【請求項７】
前記少なくとも１つのプロセッサが、前記第２の種類の診断撮像情報を再構成することに応答して、前記第２の種類の診断撮像情報に対して所定の後処理を自動的に実行し、前記第３の種類の診断撮像情報を再構成することに応答して、前記第３の種類の診断撮像情報に対して異なる所定の後処理を実行するよう構成される、請求項１に記載の撮像システム（１００）。
【請求項８】
１回の患者の訪問中に患者を斬新的に撮像する方法であって、前記方法は、
第１の撮像ユニット（１０２）で第１の撮像モダリティから前記患者の第１の種類の診断撮像情報を取得するステップであって、前記第１の撮像モダリティが、Ｘ線、コンピュータ断層撮影（ＣＴ）、核医学撮像（ＮＭ）、光子放射断層撮影（ＰＥＴ）、単一光子放出コンピュータ断層撮影（ＳＰＥＣＴ）、または磁気共鳴撮像（ＭＲＩ）のうちの１つを備える、ステップと、
前記第１の種類の診断撮像情報を使用して第１の画像を再構成ステップと、
撮像を終了するための第１の停止基準が前記第１の画像によって満たされているかどうかを判定するため前記第１の画像を解析するステップと、
前記第１の停止基準が満たされていると判定することに応答して、撮像を終了するステップと、
前記第１の停止基準が満たされていないと判定することに応答して、前記第１の撮像ユニット（１０２）で前記第１の撮像モダリティの、前記第１の種類の診断撮像情報に比べて取得負担のレベルが高い第２の種類の診断撮像情報を取得するステップと、
前記第２の種類の診断撮像情報を使用して第２の画像を再構成するステップと、
撮像を終了するための第２の停止基準が前記第２の画像によって満たされたかどうかを判定するために前記第２の画像を解析するステップと、
前記第２の停止基準が満たされているという判定に応答して、撮像を終了するステップと、
前記第２の停止基準が満たされていないという判定に応答して、前記第１の撮像ユニット（１０２）で前記第１の撮像モダリティの、前記第２の種類の診断撮像情報に比べて取得負担のレベルが高い第３の種類の診断撮像情報を取得するステップであって、前記患者が、前記第２の種類の診断撮像情報を取得する前記ステップ、前記第２の画像を再構成するステップ、前記第２の画像を解析するステップ、および前記第３の種類の診断撮像情報を取得するステップの間、前記第１の撮像ユニット（１０２）のテーブル上に維持される、ステップと、
前記第３の種類の診断撮像情報を使用して第３の画像を再構成するステップと、
を備える、方法。
【請求項９】
前記第３の種類の診断撮像情報を取得した後に、前記第１の撮像モダリティとは異なる第２の撮像モダリティを使用して後続の撮像を行うステップをさらに備える、請求項８に記載の方法。
【請求項１０】
前記第１の種類の診断撮像情報が、非造影コンピュータ断層撮影（ＣＴ）情報であり、前記第１の停止基準が、出血性脳卒中に対応する出血のレベルの判定である、請求項８に記載の方法。
【請求項１１】
前記第２の種類の診断撮像情報が、多相ＣＴ血管造影（ＣＴＡ）であり、前記第２の停止基準が、血管の充分なレベルの側副路充満の判定である、請求項１０に記載の方法。
【請求項１２】
前記第２の種類の診断撮像情報を使用して血栓の位置を判定するステップをさらに備える、請求項１１に記載の方法。
【請求項１３】
前記第３の種類の診断撮像情報は、ＣＴ灌流情報である、請求項１１に記載の方法。
【請求項１４】
前記第２の種類の診断撮像情報を再構成するステップに応答して、前記第２の種類の診断撮像情報に対して所定の後処理を、および前記第３の種類の診断撮像情報を再構成するステップに応答して、前記第３の種類の診断撮像情報に対して異なる所定の後処理を、自動的に実行するステップをさらに備える、請求項８に記載の方法。
【請求項１５】
１つまたは複数のコンピュータソフトウェアモジュールを備える有形の非一時的コンピュータ可読媒体であって、前記１つまたは複数のコンピュータソフトウェアモジュールが、１つまたは複数のプロセッサに、
第１の撮像ユニット（１０２）で、Ｘ線、コンピュータ断層撮影（ＣＴ）、核医学撮像（ＮＭ）、光子放射断層撮影（ＰＥＴ）、単一光子放出コンピュータ断層撮影（ＳＰＥＣＴ）、または磁気共鳴撮像（ＭＲＩ）のうちの１つを備える第１の撮像モダリティから前記患者の第１の種類の診断撮像情報を取得し、
前記第１の種類の診断撮像情報を使用して第１の画像を再構成し、
撮像を終了するための第１の停止基準が前記第１の画像によって満たされているかどうかを判定するため前記第１の画像を解析し、
前記第１の停止基準が満たされていると判定することに応答して、撮像を終了し、
前記第１の停止基準が満たされていないと判定することに応答して、前記第１の撮像ユニット（１０２）で前記第１の撮像モダリティの、前記第１の種類の診断撮像情報に比べて取得負担のレベルが高い第２の種類の診断撮像情報を取得し、
前記第２の種類の診断撮像情報を使用して第２の画像を再構成し、
撮像を終了するための第２の停止基準が前記第２の画像によって満たされたかどうかを判定するために前記第２の画像を解析し、
前記第２の停止基準が満たされているという判定に応答して、撮像を終了し、
前記第２の停止基準が満たされていないという判定に応答して、前記第１の撮像ユニット（１０２）で前記第１の撮像モダリティの、前記第２の種類の診断撮像情報に比べて取得負担のレベルが高い第３の種類の診断撮像情報を取得するよう指示するように構成され、前記患者が、前記第２の種類の診断撮像情報を取得すること、前記第２の画像を再構成すること、前記第２の画像を解析すること、および前記第３の種類の診断撮像情報を取得することの間、前記第１の撮像ユニット（１０２）のテーブル上に維持され、
前記１つまたは複数のコンピュータソフトウェアモジュールが、１つまたは複数のプロセッサに、さらに、
前記第３の種類の診断撮像情報を使用して第３の画像を再構成する、
よう指示するように構成される、
有形の非一時的コンピュータ可読媒体。
【請求項１６】
前記第１の種類の診断撮像情報が、非造影コンピュータ断層撮影（ＣＴ）情報であり、前記第１の停止基準が、出血性脳卒中に対応する出血のレベルの判定である、請求項１５に記載の有形の非一時的コンピュータ可読媒体。
【請求項１７】
前記第２の種類の診断撮像情報が、多相ＣＴ血管造影（ＣＴＡ）であり、前記第２の停止基準が、血管の充分なレベルの側副路充満の判定である、請求項１６に記載の有形の非一時的コンピュータ可読媒体。
【請求項１８】
前記コンピュータ可読媒体が、前記第２の種類の診断撮像情報を使用して血栓の位置を判定するようさらに構成される、請求項１７に記載の有形の非一時的コンピュータ可読媒体。
【請求項１９】
前記第３の種類の診断撮像情報は、ＣＴ灌流情報である、請求項１８に記載の有形の非一時的コンピュータ可読媒体。
【請求項２０】
前記コンピュータ可読媒体が、前記第２の種類の診断撮像情報を再構成することに応答して、前記第２の種類の診断撮像情報に対して所定の後処理を、および前記第３の種類の診断撮像情報を再構成することに応答して、前記第３の種類の診断撮像情報に対して異なる所定の後処理を、自動的に実行するようさらに構成される、請求項１５に記載の有形の非一時的コンピュータ可読媒体。
【発明の詳細な説明】
【技術分野】
【０００１】
本明細書で開示される発明の主題は、一般的に、コンピュータ断層撮影（ＣＴ）撮像などの撮像のためのシステムおよび方法に関し、例えば、プログレッシブおよび／またはバリューベースの撮像のためのシステムおよび方法に関する。
【背景技術】
【０００２】
医用撮像を用いて、診断を行うのに役立つであろう。ある種の撮像は、相対的に迅速に、および／または比較的低い放射線で完了することができるが、比較的低いレベルの詳細を提供し、一方、他の種類の撮像は、よりゆっくりおよび／または比較的高い放射線で完了することができるが、比較的高いレベルの詳細を提供する。場合によっては、正確な診断のために必要なレベルの詳細を提供する撮像の種類がわからない可能性がある。従来、このような状況では、医師は、実行すべき異なるレベルの詳細の多数の異なるスキャンを命令し、診断を試みる際に各スキャンの結果を解析する可能性がある。しかしながら、このような多数のスキャンの実行は、正確な診断のために必要とされなかったスキャンを実行するのに費やされる不必要な時間および／または放射線をもたらす可能性がある。
【先行技術文献】
【特許文献】
【０００３】
【特許文献１】米国特許出願公開第２０１５３１３５６７号明細書
【発明の概要】
【０００４】
一実施形態では、第１の撮像モダリティの撮像ユニットと、表示ユニットと、少なくとも１つのプロセッサとを含む、１回の患者の訪問中に患者を漸進的に撮像するための撮像システムが提供される。少なくとも１つのプロセッサは、撮像ユニットおよび表示ユニットに動作可能に結合され、撮像ユニットで第１の撮像モダリティから患者の第１の種類の診断撮像情報を取得するよう構成される。少なくとも１つのプロセッサはまた、第１の種類の診断撮像情報を使用して第１の画像を再構成し、表示ユニットを介して第１の画像を表示するよう構成される。撮像を終了するための第１の停止基準が満たされない場合、少なくとも１つのプロセッサは、撮像ユニットで第１の撮像モダリティの第２の種類の診断撮像情報を取得するよう構成される。第２の種類の診断撮像情報は、第１の種類の診断撮像情報と比較して、取得負担のレベルが高い。少なくとも１つのプロセッサはさらに、第２の種類の診断撮像情報を使用して第２の画像を再構成し、表示ユニットを介して第２の画像を表示するよう構成される。撮像を終了するための第２の停止基準が満たされない場合、少なくとも１つのプロセッサは、撮像ユニットで第１の撮像モダリティの第３の種類の診断撮像情報を取得するよう構成される。第３の種類の診断撮像情報は、第２の種類の診断撮像情報と比較して、取得負担のレベルが高い。患者は、第２の種類の診断撮像情報の取得、第２の画像の再構成、および第３の種類の診断撮像情報の取得の間に撮像ユニットのテーブル上に維持される。少なくとも１つのプロセッサはまた、第３の種類の診断撮像情報を使用して第３の画像を再構成し、表示ユニットを介して第３の画像を表示するよう構成される。
【０００５】
別の実施形態では、第１の撮像ユニットで第１の撮像モダリティから患者の第１の種類の診断撮像情報を取得するステップを含む方法（例えば、１回の患者の訪問中に患者を漸進的に撮像する方法）が提供される。本方法はまた、第１の種類の診断撮像情報を用いて第１の画像を再構成するステップと、撮像を終了するための第１の停止基準が第１の画像によって満たされているかどうかを判定するために第１の画像を解析するステップとを含む。第１の停止基準が満たされたという判定に応答して、撮像は終了する。本方法は、第１の停止基準が満たされていないという判定に応答して、第１の撮像ユニットによる第１の撮像モダリティの第２の種類の診断撮像情報を取得するステップを含む。第２の種類の診断撮像情報は、第１の種類の診断撮像情報と比較して、取得負担のレベルが高い。また、本方法は、第２の種類の診断撮像情報を用いて第２の画像を再構成するステップと、撮像を終了するための第２の停止基準が第２の画像によって満たされているかどうかを判定するために第２の画像を解析するステップとを含む。第２の停止基準が満たされたという判定に応答して、撮像は終了する。第２の停止基準が満たされていないという判定に応答して、本方法は、第１の撮像ユニットによる第１の撮像モダリティの第３の種類の診断撮像情報を取得するステップをさらに含む。第３の種類の診断撮像情報は、第２の種類の診断撮像情報と比較して、取得負担のレベルが高い。患者は、第２の種類の診断撮像情報を取得するステップ、第２の画像を再構成するステップ、第２の画像を解析するステップ、および第３の種類の診断撮像情報を取得するステップの間に第１の撮像ユニットのテーブル上に維持される。さらに、本方法は、
第３の種類の診断撮像情報を使用して第３の画像を再構成するステップを含む。
【０００６】
別の実施形態では、有形の非一時的コンピュータ可読媒体が、１つまたは複数のコンピュータソフトウェアモジュールを含んで提供され、１つまたは複数のコンピュータソフトウェアモジュールが、１つまたは複数のプロセッサに、第１の撮像ユニットを用いて第１の撮像モダリティから患者の第１の種類の診断撮像情報を取得し、第１の種類の診断撮像情報を使用して第１の画像を再構成し、撮像を終了するための第１の停止基準が第１の画像によって満たされているかどうかを判定するため第１の画像を解析し、第１の停止基準が満たされていると判定することに応答して、撮像を終了し、第１の停止基準が満たされていないと判定することに応答して、第１の撮像ユニットで第１の撮像モダリティの、第１の種類の診断撮像情報に比べて取得負担のレベルが高い第２の種類の診断撮像情報を取得し、第２の種類の診断撮像情報を使用して第２の画像を再構成し、撮像を終了するための第２の停止基準が第２の画像によって満たされたかどうかを判定するために第２の画像を解析し、第２の停止基準が満たされているという判定に応答して、撮像を終了し、第２の停止基準が満たされていないという判定に応答して、第１の撮像ユニットで第１の撮像モダリティの、第２の種類の診断撮像情報に比べて取得負担のレベルが高い第３の種類の診断撮像情報を取得するよう指示するように構成され、ここで、患者が、第２の種類の診断撮像情報を取得すること、第２の画像を再構成すること、第２の画像を解析すること、および第３の種類の診断撮像情報を取得することの間、第１の撮像ユニットのテーブル上に維持され、１つまたは複数のコンピュータソフトウェアモジュールが１つまたは複数のプロセッサに、さらに、第３の種類の診断撮像情報を使用して第３の画像を再構成するよう指示するように構成される。
【図面の簡単な説明】
【０００７】
【図１】様々な実施形態による撮像システムを示す概略ブロック図である。
【図２】様々な実施形態による方法のフローチャートである。
【図３】様々な実施形態による例示的な表示を示す図である。
【図４】様々な実施形態による例示的な表示を示す図である。
【図５】様々な実施形態による例示的な表示を示す図である。
【図６】様々な実施形態による例示的な表示を示す図である。
【図７】様々な実施形態による例示的な表示を示す図である。
【図８】様々な実施形態による撮像システムの概略ブロック図である。
【発明を実施するための形態】
【０００８】
ある特定の実施形態についての以下の詳細な説明は、添付の図面と共に読むと、より良く理解されよう。図面が様々な実施形態の機能ブロックの図を示す程度まで、機能ブロックは必ずしも器具回路間の分割を示しているわけではない。例えば、機能ブロック（例えば、プロセッサまたはメモリ）のうちの１つまたは複数は、単一の器具（例えば、汎用信号プロセッサまたはランダムアクセスメモリ、ハードディスクなどのブロック）、または複数の器具で実現することができる。同様に、プログラムは、スタンドアロンのプログラムであってもよいし、オペレーティングシステム内のサブルーチンとして組み込まれてもよいし、あるいはインストールされたソフトウェアパッケージの機能などであってもよい。様々な実施形態は、図面に示す配置および手段に限定されないことを理解されたい。
【０００９】
本明細書で使用する「システム」、「ユニット」、または「モジュール」という用語は、１つまたは複数の機能を実行するよう動作するハードウェアおよび／またはソフトウェアシステムを含むことができる。例えば、モジュール、ユニット、またはシステムは、コンピュータメモリなどの、有形の、非一時的コンピュータ可読記憶媒体に格納された命令に基づき動作を実行する、コンピュータプロセッサ、コントローラ、またはその他の論理ベースデバイスを備えることができる。あるいは、モジュール、ユニット、またはシステムは、デバイスの有線論理に基づき動作を実行する、有線デバイスを備えてもよい。図に示す添付図面に示す様々なモジュールまたはユニットは、ソフトウェアもしくは有線命令、またはそれらの組み合わせに基づき動作するハードウェアを表すことができ、ソフトウェアは、ハードウェアに指示して、動作を実行する。
【００１０】
「システム」、「ユニット」、または「モジュール」は、本明細書で説明する１つまたは複数の動作を実行するハードウェアおよび関連する命令（例えば、コンピュータハードドライブ、ＲＯＭ、またはＲＡＭなどの有形および非一時的なコンピュータ可読記憶媒体に格納されるソフトウェア）を含むか、または表すことができる。ハードウェアは、マイクロプロセッサ、プロセッサ、またはコントローラなどの１つまたは複数の論理ベースのデバイスを含むおよび／またはそのような論理ベースのデバイスに接続された、電子回路を含むことができる。これらのデバイスは、上記した命令から本明細書に記載された動作を実行するよう適切にプログラムまたは指示された既製のデバイスであってもよい。さらに、またはあるいは、これらのデバイスのうちの１つまたは複数は、これらの動作を実行するために論理回路と有線であってもよい。
【００１１】
本明細書で使用する場合、単数で記載されるかまたは単語「１つの（ａ）」または「１つの（ａｎ）」が前にある要素またはステップは、そのような除外が明示的に述べられていない限り、複数の前記要素またはステップを除外しないものとして理解されるべきである。さらに、「一実施形態」という言及は、記載した特徴を含む追加の実施形態の存在を除外すると解釈されるべきではない。さらに、明示的に反対のことが言及されない限り、特定の特性を有する一要素または複数の要素を「備える（ｃｏｍｐｒｉｓｉｎｇ）」または「有する（ｈａｖｉｎｇ）」実施形態は、その特性を有さない、追加の要素を含む可能性がある。
【００１２】
様々な実施形態は、プログレッシブまたはバリューベースの撮像のためのシステムおよび方法を提供する。いくつかの実施形態は、患者の疑わしい医学的状態についての医用画像のバリューベースの取得に関する。様々な実施形態は、プログレッシブ精細化ベースの画像化処理による最小限の画像取得を可能にする一方で、各段階で証拠（例えば、表示画像）を提供して、停止基準を用いてその患者からのさらなる継続的な取得を停止する決定を可能にする。撮像情報取得は、停止基準が満たされるまで継続される。いくつかの実施形態では、停止基準は、プログレッシブ解析を実行し、解析結果の視覚化を提供する取得システムに結合された解析ソフトウェアでプログラムされたプロセッサを使用して決定される。例えば、人間のユーザは、表示された画像および／または表示された画像に関連する情報（例えば、表示された画像を使用して決定された定量的尺度）に基づいて、患者からのさらなる画像取得を停止することを選択することができる。プログレッシブ精細化ベースの撮像処理は、病理検出率を改善するために漸進的に詳細な情報を提供しながら、取得の負担を最小限にするよう構成することができる。本明細書で使用される場合、取得の負担は、必要とされる時間、患者への放射線、患者への不快感、または患者への不便さのうちの少なくとも１つを含む。病理検出率、速度、および／または患者の不快感の間の変化するトレードオフは、撮像処理によってもたらされる可能性がある。例えば、第１の撮像処理は、例えば、病理学的検出の確実性を提供しながら、スキャンに必要な時間、患者に提供される放射線（放射および／または造影）、患者への不快感、および／または患者への不便さを最小化または低減することができる。時間、放射線、および／または不便さが増加する可能性があるが、第１のスキャンに比べて病理検出率も増加した可能性がある、第２のスキャン（および可能であれば、追加のスキャン）を、第１のスキャンの結果が診断に関して充分な確実性を提供しない場合に実行することができる。
【００１３】
一例では、脳卒中解析に関連する患者の撮像が実行される。まず、非造影コンピュータ断層撮影（ＣＴ）を取得する。非造影ＣＴ画像に基づいて、患者が出血性脳卒中に罹患していると判定された場合、撮像処理は停止され、出血性脳卒中に対処するために手術が行われる。非造影ＣＴ画像が出血性脳卒中を示さない場合には、マルチ位相ＣＴ情報を取得する次の撮像ステップが実行され、マルチ位相ＣＴ情報を用いて再構成された画像が解析されて、停止基準（例えば、血栓の即時除去を可能にするための充分な側副路充満）を判定する。停止基準が満たされている場合、撮像を終了し、患者を手術のために移動させることができる。停止基準が満たされない場合（例えば、充分な側副路充満があるかどうかが画像から判定できない場合）、プログレッシブ撮像を進めてＣＴ灌流撮像データを取得することができる。ＣＴ灌流撮像後に停止基準が満たされない場合、例えば、いくつかの実施形態では、プログレッシブ撮像は、ＭＲ灌流撮像情報を取得するために進めることができる
別の例では、撮像シーケンスまたは処理は、より大きな領域を迅速に評価するために、第１のスキャンで低線量、厚いスライス、大カバレッジＣＴスキャンで開始することができる。より薄いスライスおよび／またはより高い放射線を使用して、より小さいＦＯＶ（例えば、特定された病変および／または特定の解剖学的構造）上で、次の１回のスキャン（または複数のスキャン）を漸進的に標的にすることができる。
【００１４】
一般に、様々な実施形態において、第１のモダリティのデータの第１の種類またはジャンルが取得され、データの第１の種類またはジャンルを取得した後に停止基準が満たされるかどうかが判定される。停止基準が満たされた場合、さらなる撮像は行われないが、停止基準が満たされない場合、第１のモダリティのデータの種類の漸進的に改良された第２のジャンル（例えば、より詳細なおよび／または複雑な種類のスキャン）が実行される。停止基準が満たされない限り、処理は、第１のモダリティの漸進的に改良されたデータの異なるジャンルまたは種類を取得することによって継続される可能性がある。いくつかの実施形態では、停止基準を満足することなく、第１のモダリティの所定数の種類の画像が再構成された後、第２の撮像モダリティの１つまたは複数のジャンルもしくは種類のスキャンを実行することができる。スキャンの種類および／またはスキャンのモダリティは、停止基準が満たされるかまたは満足されるまで更新することができる。
【００１５】
様々な実施形態は、撮像を改善する。少なくとも１つの実施形態の技術的効果は、（例えば、充分な情報が前のスキャンから利用可能である場合に不要な後続のスキャンを排除することによる）スキャン数の低減を含む。少なくとも１つの実施形態の技術的効果は、（例えば、充分な情報が前のスキャンから利用可能である場合に不要な後続のスキャンを排除することによる）放射線量の低減を含む。少なくとも１つの実施形態の技術的効果は、（例えば、前のスキャンを解析して次のスキャンを準備することによって）一連のスキャンを実行する効率の改善を含む。少なくとも１つの実施形態の技術的効果は、脳卒中などの医学的状態を正確に診断するために使用する画像を提供することである。少なくとも１つの実施形態の技術的効果は、スキャンと医療処置の実行との間の遅延の低減を含む。
【００１６】
図１は、一実施形態による撮像システム１００を示す。撮像システム１００は、例えば、１つまたは複数の撮像モダリティ（例えば、コンピュータ断層撮影（ＣＴ）、Ｘ線、磁気共鳴撮像（ＭＲＩ）、超音波、陽電子放射断層撮影（ＰＥＴ）、単一光子放射断層撮影（ＳＰＥＣＴ））を使用して患者のプログレッシブまたはバリューベースの撮像を実行するよう構成することができる。図示された実施形態は、例えば、第１のモダリティの第１の撮像ユニット１０２と、第２のモダリティの第２の撮像ユニット１０４と、処理ユニット１２０と、出力ユニット（またはディスプレイ）１４０と、入力ユニット１５０とを含む。例えば、第１のモダリティはＣＴとすることができ、第２のモダリティはＭＲＩとすることができる。追加のまたは代替のモダリティ撮像ユニットを様々な実施形態で使用することができる。一般に、撮像システム１００は、患者を漸進的に撮像するよう構成される。撮像システム１００は、一連の画像データセットを取得するよう構成され、後続の各画像データセットは、先行する画像データセットよりも、より多くの取得負担を必要とする、および／またはさらなる診断詳細を提供する。連続する次の撮像スキャンを続行する前に、撮像システム１００は（例えば、処理ユニット１２０が自動的におよび／またはユーザ入力の使用によって）停止基準に達したかどうかを判定する。既に取得された画像の解析に基づいて停止基準が満たされた場合、プログレッシブ撮像処理は終了し、追加の時間を要する、および／または患者にさらなる放射線（例えば、放射線量、造影放射線）をもたらす、より複雑な撮像スキャンを回避する。しかしながら、停止基準が達成されていない場合（例えば、既に得られたスキャンが診断判定を行うのに充分な情報を提供しない場合）、その後の、より詳細な、煩わしい、および／または複雑な撮像スキャンが実行される。
【００１７】
一例として、撮像システムは、脳卒中患者の解析の一部として利用することができる。患者が出血性脳卒中または虚血性脳卒中に罹患しているかどうかを判定するために、第１のスキャンを行うことができる。第１のスキャン中に取得された情報を用いて再構成された画像に基づいて、その脳卒中が出血性であると判定された場合、さらなるスキャンは行われず、患者は出血性脳卒中の治療を受けることができる。しかしながら、脳卒中が虚血性であると判定された場合、側副路充満が、識別された血栓を外科的処置によって除去することを可能にするのに充分であるかどうかが判定される画像が得られるまで、１回または複数回の後続スキャンを実行することができる。
【００１８】
一般に、第１の撮像ユニット１０２および第２の撮像ユニット１０４は、投影データまたは撮像データ（例えば、ＣＴデータまたはＣＴ撮像情報）を取得するよう構成され、処理ユニット１２０は、１つまたは複数の撮像ユニットによって取得されたデータを使用して画像を再構成するよう構成される。様々な実施形態は、追加の構成要素を含むことができ、または図１に示される構成要素のすべてを含まなくてもよいことに留意されたい（例えば、様々な実施形態は、撮像システムを提供するために、他のサブシステムと共に使用するためのサブシステムを提供してもよく、様々な実施形態は、第１のモダリティの第１の撮像ユニット１０２のみを含んでもよい）。さらに、図１の別個のブロックとして示される撮像システム１００の特定の態様は、単一の物理的実体に組み込まれてもよく、および／または図１の単一ブロックとして示される態様は、２つ以上の物理的実体の間で共有または分割されてもよい。
【００１９】
図示の第１の撮像ユニット１０２は、Ｘ線源１１２とＣＴ検出器１１４とを含むＣＴ取得ユニット１１０を含む。（例示的ＣＴシステムに関する追加情報については、図８および関連する本明細書の説明を参照のこと）。Ｘ線源１１２およびＣＴ検出器１１４（ボウタイフィルタ、ソースコリメータ、または検出器コリメータなど（図１には図示せず）などの関連部品と共に）は、撮像システム１００のガントリ１１６のボアの中心軸の周りを回転することができる。
【００２０】
一般に、Ｘ線源１１２からのＸ線は、ソースコリメータおよびボウタイフィルタを介して撮像対象に導くことができる。撮像対象は、例えば、人間の患者またはその一部（例えば、頭部または胴体）とすることができる。ソースコリメータは、所望の視野域（ＦＯＶ）内のＸ線が、他のＸ線を遮断しながら撮像対象を通過することを可能にするよう構成することができる。ボウタイフィルタモジュールは、Ｘ線源１１２からの放射線を吸収して、撮像対象を通過するＸ線の分布を制御するよう構成することができる。
【００２１】
撮像対象を通過するＸ線は、対象物によって減衰され、ＣＴ検出器１１４（これに関連する検出器コリメータを有することができる）によって受信され、減衰されたＸ線を検出し、撮像情報を処理ユニット１２０に提供する。次いで、処理ユニット１２０は、ＣＴ検出器１１４によって提供される撮像情報（または投影情報）を使用して、対象物のスキャンされた部分の画像を再構成することができる。処理ユニット１２０は、図示の実施形態では、画像、例えば、ＣＴ検出器１１４からの撮像情報を使用して処理ユニット１２０によって再構成された画像を表示するよう構成された出力ユニット１４０を含むか、または動作可能に結合される。図示された入力ユニット１５０は、実行されるスキャンに対応する入力を取得するよう構成され、処理ユニット１２０は、入力を使用して１つまたは複数のスキャン設定（例えば、管電圧、管電流、またはスキャン回転速度など）を決定する。入力ユニット１５０は、オペレータからの入力を受け取るためのキーボード、マウス、またはタッチスクリーンなどを含むことができ、ならびに／もしくはコンピュータまたは他のソースから入力を受け取るためのポートまたは他の接続装置を含むことができる。
【００２２】
図示の実施形態では、Ｘ線源１１２は、対象物の周りを回転するよう構成される。例えば、Ｘ線源１１２およびＣＴ検出器１１４は、ガントリ１１６のボア１１８の周りに配置され、撮像対象の周りを回転することができる。撮像スキャン中にＸ線源１１２が対象物の周りを回転すると、ＣＴ検出器１１４によって１回の完全な回転中に受け取られたＸ線は、対象物を通過したＸ線の３６０度の図を提供する。代替実施形態では、他の撮像スキャン範囲を使用することができる。ＣＴ撮像情報は、共に回転またはその一部を構成する一連の図として収集することができる。帰線期間は、第１の図または投影を連続する次の図または投影から分離することができる期間である。
【００２３】
本明細書に示すように、処理ユニット１２０は、取得ユニットの様々な態様を制御し、および／または取得ユニットを介して取得された情報を使用して画像を再構成するよう構成される。例えば、処理ユニット１２０は、ＣＴ取得ユニット１１０によって収集された情報を使用して、ＣＴ画像（または異なる時間に取得された情報を使用した一連のＣＴ画像）を再構成するよう構成することができる。
【００２４】
図示された処理ユニット１２０は、入力ユニット１５０、出力ユニット１４０、第１の撮像ユニット１０２、および第２の撮像ユニット１０４に動作可能に結合される。例えば、処理ユニット１２０は、ＣＴ撮像情報を取得する際に使用されるスキャンパラメータを決定する際に利用することができる入力ユニット１５０からのスキャンに関する情報を受信することができる。様々な実施形態の処理ユニット１２０は、停止基準（例えば、既に実行したスキャンから、必要なまたは望ましい後続のスキャンを実行するのに情報が充分であるかどうか）を満たしたこと（または満たしていないこと）に対応する入力ユニット１５０からのユーザ入力を受信する。別の例として、処理ユニット１２０は、撮像ユニット（例えば、ＣＴ検出器１１４）から撮像データまたは投影データを受信することができる。もう１つの例として、処理ユニット１２０は、例えば、Ｘ線源１１２およびＣＴ検出器１１４などのＣＴ取得ユニット１１０などの撮像ユニットの１つまたは複数の態様に制御信号を提供することができる。処理ユニット１２０は、本明細書で説明する１つまたは複数のタスク、機能、またはステップを実行するよう構成された処理回路を含むことができる。本明細書で使用する「処理ユニット」は、必ずしも単一のプロセッサまたはコンピュータに限定されるものではないことに留意されたい。例えば、処理ユニット１２０は、複数のプロセッサおよび／またはコンピュータを含むことができ、それらは共通のハウジングまたはユニットに統合してもよく、もしくは様々なユニットまたはハウジングに分散してもよい。
【００２５】
図示の処理ユニット１２０は、第１の撮像ユニット１０２および第２の撮像ユニット１０４を制御して、撮像情報を取得するよう構成される。例えば、図示された処理ユニット１２は、撮像スキャン中にＣＴ撮像情報を収集するように（例えば、Ｘ線源１１２の起動および停止を制御することによって）ＣＴ取得ユニット１１０を制御するよう構成される。図示した実施形態の処理ユニット１２０は、ＣＴ取得ユニット１１０を制御して、異なるスキャン手順を用いて異なる種類の撮像情報を取得するよう構成される。例えば、図示された処理ユニット１２０は、非造影ＣＴ撮像スキャン、多相ＣＴ撮像スキャン、およびＣＴ灌流撮像スキャンを実行するようＣＴ取得ユニット１１０を制御するよう構成される。
【００２６】
図１に示す実施形態では、処理ユニットは、再構成モジュール１２２と、判定モジュール１２４と、制御モジュール１２６と、メモリ１２８とを含む。代替実施形態では、モジュールの他の種類、数、または組み合わせを採用してもよく、および／または本明細書に記載されたモジュールの様々な態様を、異なるモジュールに関連して追加的にまたは代替的に利用してもよいことに留意されたい。一般に、処理ユニット１２０の様々な態様は、本明細書で説明する方法、ステップ、または処理の１つまたは複数の態様（例えば、方法２００またはその態様）を実行するために、他の態様と個別にまたは協力して動作する。
【００２７】
図示した再構成モジュール１２２は、（例えば、第１の撮像ユニット１０２のＣＴ検出器１１４からの）第１の撮像ユニット１０２および／または第２の撮像ユニット１０４から取得された撮像または投影データを使用して１つまたは複数の画像を再構成するよう構成される。例えば、再構成モジュール１２２は、多数の図にわたって取られる（例えば、フル回転もしくはその一部の間、または多くの回転の間、撮像対象の長さに沿った様々な位置で取られる）ＣＴ検出器１１４からの撮像情報を受信し、診断目的で使用される画像を再構成することができる。
【００２８】
図示の実施形態では、判定モジュール１２４は、第１の撮像ユニット１０２および／または第２の撮像ユニット１０４からの情報（例えば、ＣＴ取得ユニット１１０からのＣＴ撮像情報）および／または再構成モジュール１２２からの情報（例えば、再構成画像）および／または入力ユニット１５０からの情報（例えば、停止基準を満たしたか、満たしていないかを示すユーザ入力などの停止基準に対応する情報）を受信し、停止基準が満たされているか、または次のスキャンを実行するべきかどうかを判定するよう構成される。いくつかの実施形態では、判定モジュール１２４は、実行すべき次のスキャンの種類を判定する。
【００２９】
例えば、判定モジュール１２４は、まず、停止基準が満たされているかどうかを判定することができる。いくつかの実施形態では、判定モジュール１２４は、再構成画像の解析を介して自動的に判定される対象物または測定可能な１つのパラメータ（または複数のパラメータ）に基づいて停止基準が満たされているかどうかを判定する。いくつかの実施形態では、判定モジュール１２４は、ユーザ入力の受信（または受信の失敗）に基づいて停止基準が満たされているかどうかを判定する。例えば、いくつかの実施形態では、判定モジュール１２４（または処理ユニット１２０の他の態様）は、所定の停止基準が満たされたことに対応する入力が所定の時間内に受信されない場合、所定の停止基準が満たされないと判定し、対応する画像を表示する。例えば、所与の再構成画像の表示後、判定モジュール１２４は、タイミング期間を開始することができる。タイミング期間が満了する前にオペレータから入力が受信されない場合、判定モジュール１２４は、停止基準が満たされていないと判定し、処理ユニット１２０は、次の、より詳細な、または複雑な撮像スキャンを連続して取得するように撮像システム１００を制御する。
【００３０】
状況の一例では、脳卒中を罹患している患者は、撮像システム１００を使用するプログレッシブ撮像処理を使用して診断することができる。例示的な状況では、最大３回の連続したＣＴ撮像スキャンが実行され、その後の各スキャンでは、必要に応じて、前のスキャンに対する追加的な取得負担が発生する。第１の撮像スキャンは非造影ＣＴ撮像スキャンであり、第２の撮像スキャンは多相ＣＴ撮像スキャンであり、第３の撮像スキャンは灌流ＣＴ撮像スキャンである。第１および第２のスキャンに対して異なる停止基準が採用される。
【００３１】
例示的状況では、ＣＴ取得ユニット１１０でＣＴ撮像情報を収集した後、再構成モジュール１２２は、非造影画像を再構成し、出力ユニット１４０を介して（診断支援のために後処理を受けた可能性がある）画像を表示する。例示的な状況における第１のスキャンの停止基準は、出血性脳卒中に対応する出血のレベルの判定に対応する。この例示的状況における停止基準の満足度は、ユーザ入力に基づく。ユーザが、表示された画像に基づいて、出血性脳卒中に対応する出血量が判定されたことを示す入力を入力ユニット１５０に提供する場合、判定モジュール１２４は、停止基準が満たされたと判定し、それ以上のスキャンは行わない。その代わりに、患者は、追加のスキャンをするためにさらに時間を取られることなく、出血性脳卒中の治療を受けることができる。しかし、ユーザが出血性脳卒中に対応する出血量が識別されていないことを示す入力を行った（または所定時間内に入力が提供されなかった）場合、判定モジュール１２４は、停止基準を満たしていないと判定し、その後のスキャンが行われる。
【００３２】
この例示的状況では、次のスキャンは多相ＣＴ血管造影（ＣＴＡ）検査である。造影剤が患者に導入され、ＣＴ取得ユニット１１０は、多相ＣＴＡ撮像情報を取得する。多相ＣＴＡは、例えば、虚血性脳卒中患者の脳における動脈充填の程度を判定する補助をするために使用することができる血管に関する時間的情報を提供する。充分な動脈充填が判定された場合、血栓を識別して除去することができるが、充填が不充分であると、血栓を除去した後の圧力変化による血管破裂の危険性がある。ＣＴ取得ユニット１１０でＣＴ撮像情報が収集された後、再構成モジュール１２２は、１つまたは複数の画像（例えば、異なる位相または時点で脳の血管に対応する１つまたは複数の画像）を再構成し、および画像（診断支援のために後処理を行っている可能性がある）が出力ユニット１４０を介して表示される。例示的状況における第２のスキャンの停止基準は、充分なレベルの血管の側副路充満（例えば、血管破裂の過度のリスクを伴うことなく血栓の除去を可能にするのに充分なレベル）の判定に対応する。この例示的状況における第２の停止基準の満足度は、ユーザ入力に基づく。ユーザが、表示された画像に基づいて、充分なレベルの側副路充満が判定されたことを示す入力を入力ユニット１５０に提供する場合、判定モジュール１２４は、停止基準が満たされたと判定し、それ以上のスキャンは行わない。その代わりに、患者は、追加のスキャンをするためにさらに時間を取られることなく、虚血性脳卒中の治療（例えば、血栓の除去）を受けることができる。しかし、ユーザが、側副路充満のレベルが不充分であることを示す入力を提供するか、充分なレベルの側副路充満が存在するかどうかを判定することができないことを示す入力を提供する（または、ユーザが所定の期間内に入力を提供できない）場合、判定モジュール１２４は、停止基準が満たされなかったと判定し、次のスキャンを実行する。
【００３３】
この例示的状況では、続くスキャンはＣＴ灌流検査である。多相ＣＴＡ検査に関連する造影剤が充分に洗い流された後、異なる造影剤がＣＴ灌流解析のために患者に導入され、ＣＴ取得ユニット１１０がＣＴ灌流撮像情報を取得する。多相ＣＴＡは、脳組織に関する情報、および組織を生きたままにするのに充分な血流が提供されているかどうかの情報を提供する。多相ＣＴＡ撮像情報が、側副路充満が充分であるかどうかを判定するのに充分でない場合、側副路充満が充分であるかどうかをより良く判定するためにＣＴ灌流情報を取得することができる。
【００３４】
漸進的な一連のスキャンにおける様々な撮像スキャンは、対応するスキャンパラメータまたは設定（例えば、情報を取得するために使用されるパラメータまたは設定）ならびに表示パラメータまたは設定（例えば、表示に便利な後処理で使用されるパラメータまたは設定）を有することができることに留意されたい。いくつかの実施形態では、判定モジュール１２４（および／または処理ユニット１２０の他の態様もしくは部分）は、実行されるスキャンの次の種類、ならびにスキャンおよび表示パラメータを判定する。例えば、いくつかの実施形態では、プログレッシブ脳卒中撮像シーケンスの場合、非造影ＣＴ画像の解析後に停止基準が満たされない場合、判定モジュール１２４は、多相ＣＴＡ撮像スキャンが実行されるべきであると判定し、多相ＣＴＡ画像取得のための適切な設定を使用するよう制御モジュール１２６に指示する。さらに、判定モジュール１２４は、多相ＣＴＡで使用するために調整された後処理ルーチンが使用されるべきであると判定し、多相ＣＴＡ撮像情報を使用して再構成された画像を後処理および表示するのに使用するために再構成モジュール１２２（または、処理ユニット１２０の他の態様）に適切な情報を提供する。
【００３５】
図示の実施形態では、判定モジュール１２４は、制御モジュール１２６と通信可能に接続され、制御モジュール１２６は、第１の撮像ユニット１０２および／または第２の撮像ユニット１０４（例えば、ＣＴ取得ユニット１１０および／または撮像システム１００の他の態様）を制御し、判定モジュール１２４によって要求される撮像スキャンを実行するよう構成される。
【００３６】
出力ユニット１４０は、ユーザに情報を提供するよう構成される。出力ユニット１４０は、例えば、画像（例えば、本明細書で説明するように再構成され、後処理された画像）を表示するよう構成される。さらに、出力ユニット１４０は、とりわけ、停止基準の判定に関する指示を提供し、判定モジュール１２４が、表示された画像に対応する逆入力、測定または判定されたパラメータがないため停止基準を満たさないと判定した時点を示すタイマを表示する。出力ユニット１４０は、スクリーン、タッチスクリーン、またはプリンタなどのうちの１つまたは複数を含むことができる。
【００３７】
入力ユニット１５０は、実行されるスキャンまたは逐次スキャンの１つまたは複数の設定または特性に対応する入力を取得し、入力（または入力に対応する情報）を処理ユニット１２０に提供するよう構成することができ、入力を使用して、撮像情報を取得し、撮像情報を再構成し、または表示するために１つもしくは複数の画像を後処理もしくは準備することなどができる。例えば、入力ユニット１５０は、手順を指定する命令を受け取ることができ、次いで、処理ユニットは、スキャンの適切なシーケンスおよび対応する再構成および後処理ルーチンを決定する。入力は、例えば、脳卒中解析などの実行すべきプログレッシブ撮像の種類を含むことができる。入力ユニット１５０から入力を受け取ったことに応答して、処理ユニット１２０は、対応する一連のスキャンを自動的に開始し、停止基準が満たされるまで選択的に実行することができる。入力ユニット１５０は、タッチスクリーン、キーボード、またはマウスなどを介して、手動のユーザ入力を受け入れるよう構成することができる。さらに、またはあるいは、入力ユニット１５０は、例えば、ポートまたは他の接続装置を介して、撮像システム１００の別の態様、別のシステム、またはリモートコンピュータから情報を受信することができる。様々な実施形態において、入力ユニット１５０は、基準満足度に関する入力も受け取る。いくつかの実施形態では、ユーザは、表示画像の目視検査に基づいて、停止基準が満たされているかどうか（および／または画像が判定を行うのに充分な情報を提供していないかどうか）の入力を提供することができる。いくつかの実施形態では、ユーザは、停止基準が満たされているかどうかの指示を提供することができ、処理ユニット１２０は、所定の期間内に入力が受信されない場合、自動的に連続して次のスキャンに進むことができる。次の撮像段階へ自動的に進むために所定の時間を使用することは、様々な実施形態における一連のスキャンのために要する時間を減少させる。
【００３８】
図２は、様々な実施形態による、例えば脳卒中解析の一部として患者などの対象物を漸進的に撮像する方法２００のフローチャートを提供する。方法２００は、例えば、本明細書で説明した様々な実施形態の構造または態様（例えば、システムおよび／または方法）を用いることができ、あるいはそれらによって実行することができる。様々な実施形態では、特定のステップを省略または追加することができ、特定のステップを組み合わせることができ、特定のステップを同時に実行することができ、特定のステップを並行して実行することができ、特定のステップを複数のステップに分割することができ、特定のステップを異なる順序で実行することができ、あるいは特定のステップまたは一連のステップを反復的な形式で再実行することができる。様々な実施形態では、方法２００の部分、態様、および／または変形は、ハードウェア（例えば、処理ユニット１２０の１つまたは複数の態様）に指示する１つまたは複数のアルゴリズムとして使用して、本明細書で説明する１つまたは複数の動作を実行することを可能にすることができる。
【００３９】
２０２において、対象物（例えば、患者）が位置決めされる。例えば、対象物は、例えば、ＣＴ取得ユニット（例えば、ＣＴ取得ユニット１１０）を含むことができる、撮像システム（例えば、第１の撮像ユニット１０２または第２の撮像ユニット１０４）のボア内のテーブル上に位置づけられた人間の患者とすることができる。
【００４０】
２０４において、プログレッシブ撮像ルーチンまたは手順が選択される。様々な実施形態におけるプログレッシブ撮像ルーチンは、状態の診断を助けるために行われる増加する取得負担または詳細の一連のスキャンを指定する。例えば、脳卒中診断プログレッシブ撮像ルーチンの場合、一連のスキャンは、非造影ＣＴスキャン、多相造影ＣＴＡスキャン、およびＣＴ灌流スキャンを含むことができる。プログレッシブ撮像ルーチンは、処理ユニット（例えば、入力ユニット１５０を介して処理ユニット１２０）に供給されるユーザ入力に基づいて選択または決定することができる。図３は、プログレッシブ撮像ルーチンを選択するためにユーザが入力を提供するために使用することができる様々な実施形態によるディスプレイ３００の例示的な図を提供する。ディスプレイ３００は、ユーザがスキャンされる身体の一部を特定することを可能にする様々なユーザ誘導機能３１０を含む。図３に示すように、図示のディスプレイはまた、利用可能なスキャン手順に対応するユーザ選択ボタン３２０を含む。図示された実施形態では、ユーザは「Ｆａｓｔ脳卒中」を選択した。ユーザ選択に応答して、処理ユニットは、選択されたルーチンの所定の取得、再構成、および表示パラメータを使用して一連のスキャンを実行するようにシステムを準備することができる。
【００４１】
２０６において、第１の種類の撮像情報が取得される。例えば、様々な実施形態における第１の種類の撮像情報は、第１の撮像ユニットの第１のモダリティを使用して取得される。いくつかの実施形態では、第１の種類の撮像情報は非造影情報である。いくつかの実施形態では、Ｘ線源および検出器を、撮像される対象物の周りに回転させ、検出器で撮像情報を収集するために所定のスキャンパラメータによって規定される方法で動作させることができる。一例として、図示された実施形態では、２０８において、第１の種類の診断撮像情報は、非造影ＣＴであり（例えば、ＣＴ取得ユニット１１０を介して取得される）、第１の停止基準は、出血性脳卒中に対応する出血のレベルの判定である。
【００４２】
２１０において、第１の画像が再構成される。第１の画像は、２０６で取得された第１の撮像情報を用いて再構成される。２１２において、再構成された画像は自動的に後処理される。例えば、様々な実施形態において、処理ユニット（例えば、処理ユニット１２０）は、選択されたプログレッシブ撮像ルーチンに基づいて、所定の後処理ルーチンを使用して再構成された第１の画像を後処理して、停止基準が満たされたかどうかを判定するために便利で容易に利用可能な表示をユーザに提供することができる。図４は、様々な実施形態による例示的な非造影ＣＴディスプレイ４００を示す。ディスプレイ４００は、ディスプレイの観察者が使用可能な４つの図（すなわち、斜め図４１０、軸方向図４２０、矢状図４３０、および冠状図４４０）を含み、出血性脳卒中に対応する出血のレベルが存在するかどうかを判定する。
【００４３】
２１４において、第１の画像が解析されて、第１の画像によって撮像を終了するための第１の停止基準が満たされているかどうかを判定する。いくつかの実施形態における解析は、ディスプレイ（例えば、ディスプレイユニット１４０）上の画像を見るオペレータまたはユーザによって実行することができる。ディスプレイは、撮像システムの他の態様から離れていてもよく、したがって、スキャン設備に医師がいなくても、停止基準が満たされたかどうかを判定することができることに留意されたい。いくつかの実施形態では、処理ユニット（例えば、処理ユニット１２０）は、停止基準が満たされているかどうかを判定するために、再構成画像に対応する１つまたは複数の決定可能なパラメータまたは客観的測定値を解析するよう構成することができる。図示の実施形態では、２１６において、出血性脳卒中に対応する出血のレベルが存在するかどうかを判定するために、第１の画像が解析される。
【００４４】
２１８において、第１の停止基準が満たされているか、すなわち満足されているかが判定される。一般に、停止基準が満たされている場合、プログレッシブ撮像ルーチンは、先のスキャンが特定の診断のための充分な情報を提供する場合に不要な追加のより複雑なスキャンを実行する前に終了することができる。第１の停止基準が満たされている場合、方法２００は２２０に進み、一連の撮像は終了する。停止基準が満たされない、すなわち満足されない場合、方法は２２２に進む。例えば、出血性脳卒中と一致する出血のレベルが存在する場合、患者は、出血性脳卒中の治療のために即座に撮像装置から移され、スキャンを行う時間をさらに費やすことはない。しかし、出血のレベルが出血性脳卒中に対応しない場合、虚血性脳卒中を診断することができ、例えば、血栓の位置ならびに側副路充満の程度を判定するために、追加の撮像を行うのが有益である。
【００４５】
２２２において、第２の種類の診断撮像情報が取得される。例えば、様々な実施形態では、第２の種類の診断撮像情報は、第１の種類の診断撮像情報と同じ第１のモダリティであり、同じ第１の撮像ユニットで取得され、第１の種類の診断撮像情報に比べて取得負担のレベルが増大する。いくつかの実施形態では、第２の種類の撮像情報は多相情報である。例えば、図示した実施形態では、２２４において、第２の種類の診断撮像情報は多相ＣＴＡ情報であり、第２の停止基準は血管の充分なレベルの側副路充満の判定である。図示の実施形態では、多相ＣＴＡ撮像処理の一部としてＣＴ情報を取得する前に、造影剤が患者に導入される。
【００４６】
２２６において、第２の画像が再構成される。第１の画像は、２２２で取得された第２の種類の診断撮像情報を用いて再構成される。２２８において、再構成された画像は自動的に後処理される。例えば、様々な実施形態において、処理ユニット（例えば、処理ユニット１２０）は、選択されたプログレッシブ撮像ルーチンに基づいて、所定の後処理ルーチンを使用して再構成された第２の画像を後処理して（例えば、多相ＣＴＡに併せて調整された後処理）、停止基準が満たされたかどうかを判定するために便利で容易に利用可能な表示をユーザに提供することができる。図５は、例示的なＣＴＡディスプレイ５００を示し、図６は、様々な実施形態による例示的なＣＴＡディスプレイ６００を示す。処理ユニット１２０は、２２６で再構成された画像の受信に応答して、様々な実施形態において、２２６で再構成された画像に対して後処理を自動的に実行してディスプレイ５００およびディスプレイ６００を使用するように準備する。ディスプレイ５００は、冠状図５１０、軸方向図５２０、および矢状図５３０の３つの異なる図で最大強度投影（ＭＩＰ）の一部として頚動脈を表示する。ディスプレイ６００は、第１の位相図６１０、第２の位相図６２０、および第３の位相図６３０の異なる時間または位相の３つの軸方向図を表示する。ディスプレイ５００およびディスプレイ６００は、充分な側副路充満があるかどうかを判定するために観察者によって使用することができる。例えば、充分な側副路充満がある場合、患者は血栓を除去する血管内処置に進むことができるが、そうでなければ、血栓除去後の圧力変化による血管破裂のリスクのために別の方法を選択することができる。
【００４７】
２３０において、第２の画像が解析されて、第２の画像によって撮像を終了するための第２の停止基準が満たされているかどうかを判定する。いくつかの実施形態における解析は、ディスプレイ（例えば、ディスプレイユニット１４０）上の１つまたは複数の画像を見るオペレータまたはユーザによって実行することができる。ディスプレイは、撮像システムの他の態様から離れていてもよく、したがって、スキャン設備に医師がいなくても、停止基準が満たされたかどうかを判定することができることに留意されたい。いくつかの実施形態では、処理ユニット（例えば、処理ユニット１２０）は、停止基準が満たされているかどうかを判定するために、再構成画像に対応する１つまたは複数の決定可能なパラメータまたは客観的測定値を解析するよう構成することができる。図示された実施形態では、２３２において、血栓除去を可能にするのに充分な側副路充満があるかどうかを判定するために、第１の画像がディスプレイの観察者によって解析される。様々な実施形態において、除去すべき血栓の位置を２３４で決定することもできることに留意されたい。
【００４８】
２３６において、第２の停止基準が満たされているか、すなわち満足されているかが判定される。第２の停止基準が満たされている場合、方法２００は２３８に進み、一連の撮像は終了する。停止基準が満たされない、すなわち満足されない場合、方法は２４０に進む。例えば、充分な側副路充満が存在する場合、スキャンを実施する追加の時間を費やさずに、虚血性脳卒中の治療（例えば、識別された血栓の除去）のために患者を撮像装置から即座に移すことができる。しかし、側副路充満レベルが充分でない場合や、側副路充満が充分であるかどうかが多相ＣＴＡ解析から判断できない場合は、例えば、側副路充満の程度を判定するために追加の撮像を行うことが有益である可能性がある。
【００４９】
２４０において、第３の種類の診断撮像情報が取得される。例えば、様々な実施形態では、第３の種類の診断撮像情報は、第１の種類および第２の種類の診断撮像情報と同じ第１のモダリティであり、同じ第１の撮像ユニットで取得され、第２の種類の診断撮像情報に比べて取得負担のレベルが増大する。図示した実施形態では、２４２において、第３の種類の診断撮像情報は、ＣＴ灌流情報である。ＣＴＡは、マクロレベルで血管を見ることにより理解することができ、ＣＴ灌流は、組織レベルで患者に関する情報を提供することによって、さらなる複雑さまたは詳細を提供することができる。組織レベルパラメータは、様々な実施形態におけるＣＴ灌流解析の一部として計算され、１つまたは複数の定量的測定値を提供して、側副路充満のレベルを決定するのを助ける。図示の実施形態では、ＣＴ灌流撮像処理の一部としてＣＴ情報を取得する前に、造影剤が患者に導入される。様々な実施形態では、第２の撮像情報に関する再構成および関連解析は、第２の撮像情報を取得する際に使用される造影剤のウォッシュアウト期間中に実行することができる。様々な実施形態において、患者は、第２の種類の診断撮像情報の取得、第２の画像の再構成、第２の画像の解析、および第３の種類の診断撮像情報の取得の間に第１の撮像ユニットのテーブル上に維持されることに留意されたい。
【００５０】
２４４において、第３の画像が再構成される。第３の画像は、２４０で取得された第３の種類の診断撮像情報を用いて再構成される。２４６において、再構成された画像は自動的に後処理される。例えば、様々な実施形態において、処理ユニット（例えば、処理ユニット１２０）は、選択されたプログレッシブ撮像ルーチンに基づいて、所定の後処理ルーチンを使用して再構成された第３の画像を後処理して（例えば、ＣＴ灌流に合わせて調整された後処理）、便利で容易に利用可能な表示をユーザに提供することができる。図７は、様々な実施形態による例示的なＣＴ灌流７００を示す。処理ユニット１２０は、２４４で再構成された画像の受信に応答して、様々な実施形態において、２４４で再構成された画像に対して後処理を自動的に実行してディスプレイ７００を使用するように準備する。ディスプレイ７００は、１つまたは複数の定量的測定値に対応する画像図７１０、７３０、および７４０、ならびにグラフ７２０を含む。提示された特定の図および様々な実施形態におけるディスプレイ７００（および／または本明細書で説明する他のディスプレイ）の提示された図のフォーマットは、例えば、所定の観察者の好みに基づいて、処理ユニットによって自動的に選択される。例えば、所定の種類の再構成画像を受信したことに応答して、処理ユニットは、所与の種類の再構成画像に対応する所定の後処理ルーチンを自動的に選択して、見るためにディスプレイを準備することができる。
【００５１】
２４８において、第３の画像が解析される（例えば、プログレッシブ撮像ルーチンに追加のスキャンが残っている場合に停止基準が満たされているかどうかを判定するため）。いくつかの実施形態における解析は、ディスプレイ（例えば、ディスプレイユニット１４０）上の１つまたは複数の画像を見るオペレータまたはユーザによって実行することができる。ディスプレイは、撮像システムの他の態様から離れていてもよく、したがって、スキャン設備に医師がいなくても、停止基準が満たされたかどうかを判定することができることに留意されたい。いくつかの実施形態では、処理ユニット（例えば、処理ユニット１２０）は、停止基準が満たされているかどうかを判定するために、再構成画像に対応する１つまたは複数の決定可能なパラメータまたは客観的測定値（例えば、ＣＴ灌流撮像処理によって提供される１つまたは複数の客観的測定値）を解析するよう構成することができる。いくつかの実施形態では、第３の画像は側副路充満について解析され、対応する停止基準は、血栓を除去するための手術を受けさせるために患者を移動させることが可能となるのに側副路充満の量が充分であると判定される場合である。
【００５２】
２５０において、図示の実施形態では、第４の画像取得が実行される。様々な実施形態における第４の画像取得は、第１、第２、および第３の種類の診断情報に使用されたものとは異なる第２のモダリティを使用する。例えば、第１、第２、および第３の種類の診断情報に対してＣＴを用いることができるが、第４の画像取得はＭＲＩを用いて行うことができる。いくつかの実施形態では、第４の画像取得は、以前に取得された情報にさらなる複雑さまたは詳細を提供するために実行することができ、他の実施形態では、第４の画像取得を用いて異なる解剖構造または診断に関する情報を提供することができる。様々な実施形態において、第４の画像取得は、第３の種類の診断撮像情報に対応する停止基準が満たされない場合にのみ実行される。
【００５３】
異なる実施形態において、撮像段階または取得（または潜在的な撮像段階もしくは取得）の回数を変更してもよいことに留意されたい。一般に、いくつかの実施形態では、各撮像段階またはステップは、取得、再構成、表示、解析、および停止基準が満たされた場合の判定を含む。本シーケンスは、停止基準が満たされるまで、各後続の段階またはステップごとに（例えば、異なる撮像技術を使用して）繰り返すことができる。
【００５４】
本明細書に記載される様々な方法および／またはシステム（および／またはその態様）は、医用撮像システムを使用して実施することができる。例えば、図８は、本明細書で説明される様々な実施形態を実施するために利用することができる例示的なＣＴ撮像システム９００のブロック概略図である。ＣＴ撮像システム９００は、スタンドアロン撮像システムとして示されているが、いくつかの実施形態では、ＣＴ撮像システム９００がマルチモダリティ撮像システムの一部を形成することができることに留意すべきである。例えば、マルチモダリティ撮像システムは、ＣＴ撮像システム９００および陽電子放射断層撮影（ＰＥＴ）撮像システム、または単一光子放射断層撮影（ＳＰＥＣＴ）撮像システムを含むことができる。また、本明細書に記載された機能を実行することができる他の撮像システムが使用されると考えられることも理解されるべきである。
【００５５】
ＣＴ撮像システム９００は、ガントリ９１０の反対側の検出器アレイ９１４に向かってＸ線ビームを投影するＸ線源９１２を有するガントリ９１０を含む。ソースコリメータ９１３およびボウタイフィルタモジュール９１５は、Ｘ線源９１２に近接して設けられる。様々な実施形態において、ソースコリメータ９１３は、本明細書で説明するような広いコリメーションを提供するよう構成することができる。検出器アレイ９１４は、被験者９１７を通過する投影Ｘ線を共に感知する行およびチャネルに配置された複数の検出器要素９１６を含む。ＣＴ撮像システム９００はまた、検出器アレイ９１４から投影データを受信し、投影データを処理して被験者９１７の画像を再構成するコンピュータ９１８を含む。コンピュータ９１８は、例えば、処理ユニット１２０の１つまたは複数の態様を含むことができ、または処理ユニット１２０の１つまたは複数の態様に動作可能に結合することができる。動作時、オペレータから供給されるコマンドおよびパラメータがコンピュータ９１８によって使用されて、制御信号および情報を提供して電動テーブル９２２を再配置する。より具体的には、電動テーブル９２２は、被験者９１７をガントリ９１０に出し入れするために利用される。特に、テーブル９２２は、ガントリ９１０を通って延びるガントリ開口（図示せず）を介して被験者９１７の少なくとも一部を移動させる。さらに、テーブル９２２を使用して、ガントリ９１０のボア内で被験者９１７を垂直方向に移動させることができる。
【００５６】
示されている検出器アレイ９１４は、複数の検出器要素９１６を含む。各検出器要素９１６は、衝突するＸ線ビームの強度を表す電気信号または出力を生成し、それによって、ビームが被験者９１７を通過する際のビームの減衰を推定することを可能にする。Ｘ線投影データを取得するためのスキャン中、ガントリ９１０およびガントリ９１０に取り付けられた構成要素は、回転中心９４０の周りを回転する。図８は、検出器要素９１６の単一列（すなわち、検出器列）のみを示す。しかしながら、マルチスライス検出器アレイ９１４は、複数のスライスに対応する投影データをスキャン中に同時に取得することができるように、検出器要素９１６の複数の平行な検出器列を含む。
【００５７】
ガントリ９１０の回転およびＸ線源９１２の動作は、制御機構９４２によって制御される。制御機構９４２は、Ｘ線源９１２に電力およびタイミング信号を供給するＸ線コントローラ９４４と、ガントリ９１０の回転速度および位置を制御するガントリモータコントローラ９４６とを含む。制御機構９４２内のデータ収集システム（ＤＡＳ）９４８は、検出器要素９１６からのアナログデータをサンプリングし、そのデータを、後続処理のために、デジタル信号に変換する。画像再構成装置９５０は、ＤＡＳ９４８からサンプリングされデジタル化されたＸ線データを受け取り、高速画像再構成を実行する。再構成された画像は、記憶装置９５２に画像を記憶するコンピュータ９１８に入力される。コンピュータ９１８はまた、キーボードを有するコンソール９６０を介してオペレータからコマンドおよびスキャンパラメータを受信することもできる。関連する視覚的ディスプレイユニット９６２は、オペレータがコンピュータからの再構成された画像および他のデータを観察することを可能にする。コンピュータ９１８またはコントローラなどの１つまたは複数は、本明細書で説明する処理ユニット１６０などの処理ユニットの一部として組み込んでもよいことに留意されたい。
【００５８】
オペレータから供給されたコマンドおよびパラメータは、ＤＡＳ９４８、Ｘ線コントローラ９４４、およびガントリモータコントローラ９４６に制御信号および情報を提供するためにコンピュータ９１８によって使用される。さらに、コンピュータ９１８は、電動テーブル９２２を制御して被験者９１７をガントリ９１０内で位置決めするテーブルモータコントローラ９６４を動作させる。具体的には、テーブル９２２は、ガントリ開口を介して被験者９１７の少なくとも一部を移動させる。
【００５９】
様々な実施形態では、コンピュータ９１８は、デバイス９７０、例えば、ＣＤ−ＲＯＭドライブ、ＤＶＤドライブ、磁気光学ディスク（ＭＯＤ）デバイス、またはネットワークもしくはインターネットなどのＣＤ−ＲＯＭ、ＤＶＤ、もしくは別のデジタルソースなどの、信号を除外する、有形の非一時的コンピュータ可読媒体９７２から命令および／またはデータを読み取るイーサネット（登録商標）デバイスなどのネットワーク接続デバイスを含む任意の他のデジタルデバイス、ならびにまだ開発されていないデジタル手段を含む。別の実施形態において、コンピュータ９１８は、ファームウェア（図示せず）に格納される命令を実行する。コンピュータ９１８は、本明細書で説明する機能を実行するようプログラムされており、本明細書で使用される場合、コンピュータという用語は、当技術分野でコンピュータと呼ばれる集積回路に限定されず、広くはコンピュータ、プロセッサ、マイクロコントローラ、マイクロコンピュータ、プログラマブル論理コントローラ、特定用途向け集積回路、および他のプログラマブル回路に関し、これらの用語は本明細書では互換的に使用される。
【００６０】
例示的な実施形態では、Ｘ線源９１２および検出器アレイ９１４は、Ｘ線ビーム９７４が被験者９１７と交差する角度が常に変化するように、撮像面内でガントリ９１０を用いて撮像対象の被験者９１７の周りを回転する。１つのガントリ角度での検出器アレイ９１４からのＸ線減衰測定値のグループ、すなわち、投影データは、「図」または「投影」と呼ばれる。被験者９１７の「スキャン」は、Ｘ線源９１２および検出器アレイ９１４の１つまたは複数の回転中に異なるガントリ角度または図角度で行われる図のセットを備える。ＣＴスキャンでは、投影データを処理して、被験者９１７の３次元ボリュームに対応する画像を再構成する。いくつかの実施形態では、１回転未満のデータを使用して画像を再構成することができることに留意されたい。例えば、マルチソースシステムでは、実質的に１回転未満のものを利用することができる。したがって、いくつかの実施形態では、３６０度図に対応するスキャン（またはスラブ）は、１回転未満で取得することができる。
【００６１】
様々な実施形態は、ハードウェア、ソフトウェア、またはこれらの組み合わせで実施することができることに留意されたい。様々な実施形態および／または構成要素、例えばモジュールまたはその内部の構成要素およびコントローラもまた、１つもしくは複数のコンピュータまたはプロセッサの一部として実現することができる。コンピュータまたはプロセッサは、例えばインターネットにアクセスするために、コンピューティング機器、入力機器、表示ユニットおよびインターフェースを含むことができる。コンピュータまたはプロセッサは、マイクロプロセッサを含むことができる。マイクロプロセッサは、通信バスに接続することができる。コンピュータまたはプロセッサはまた、メモリを含むことができる。メモリは、ランダムアクセスメモリ（ＲＡＭ）および読み出し専用メモリ（ＲＯＭ）を含むことができる。コンピュータまたはプロセッサはさらに記憶装置を含むことができ、それはハードディスクドライブ、あるいはソリッドステートドライブ、および光学ディスクドライブなどの取り外し可能な記憶ドライブであってもよい。記憶装置はまた、コンピュータプログラムまたは他の命令をコンピュータまたはプロセッサにロードするための他の類似の手段であってもよい。
【００６２】
本明細書で使用される場合、「コンピュータ」または「モジュール」という用語は、マイクロコントローラ、縮小命令セットコンピュータ（ＲＩＳＣ）、ＡＳＩＣ、論理回路、および本明細書に記載した機能を実行可能な任意の他の回路もしくはプロセッサを使用するシステムを含む、任意のプロセッサベースまたはマイクロプロセッサベースのシステムを含むことができる。上記の例は例示のためだけであり、それ故に「コンピュータ」という用語の定義および／または意味を何ら限定することを意図しない。
【００６３】
コンピュータまたはプロセッサは、入力データを処理するために１つまたは複数の記憶素子に格納される一組の命令を実行する。記憶素子はまた、所望または必要に応じてデータまたは他の情報を格納することができる。記憶素子は、処理装置内の情報源または物理メモリ素子の形態であってもよい。
【００６４】
命令のセットは、処理機械としてのコンピュータまたはプロセッサに、様々な実施形態の方法および処理などの特定の動作を実行するよう指示する様々なコマンドを含むことができる。命令セットは、ソフトウェアプログラムの形態であってもよい。ソフトウェアは、システムソフトウェアまたはアプリケーションソフトウェアなどの様々な形態であってもよく、有形の非一時的なコンピュータ可読媒体として具体化することができる。さらに、ソフトウェアは、個々のプログラムもしくはモジュールの集合、より大きなプログラム内のプログラムモジュール、またはプログラムモジュールの一部の形態であってもよい。ソフトウェアはまた、オブジェクト指向プログラミングの形態のモジュール方式プログラミングを含むことができる。処理装置による入力データの処理は、オペレータコマンドに応答して、あるいは前の処理の結果に応答して、あるいは別の処理装置によってなされる要求に応答して行ってもよい。
【００６５】
本明細書で使用される、タスクまたは動作を実行するように「構成された」構造、制限、または要素は、タスクまたは操作に対応するように特に構造的に形成され、構築され、または適合される。明瞭にし、かつ疑念を回避するために、タスクまたは動作を実行するために修正することができるだけの対象物は、本明細書で用いられるようなタスクまたは動作を実行するために「構成される」ものではない。代わりに、本明細書で用いられる「構成される」の使用は、構造的な適応または特性を意味しており、タスクまたは動作を実行するように「構成される」と記載された任意の構造、制限、または要素の構成要件を意味する。例えば、タスクまたは動作を実行するように「構成された」処理ユニット、プロセッサ、またはコンピュータは、タスクまたは動作を実行するように特に構成されていると理解することができる（例えば、１つまたは複数のプログラムもしくは命令がそこに格納され、またはタスクもしくは動作を実行するよう調整または意図されて使用され、ならびに／もしくはタスクもしくは動作を実行するために調整または意図された処理回路の構成を有する）。明瞭化および疑念の回避のために、汎用コンピュータ（適切にプログラムされていれば、タスクまたは動作を実行するように「構成され」得る）は、タスクまたは動作を実行するために具体的にプログラムされ、あるいは構造的に変更されない限り、タスクまたは動作を実行するように「構成され」ていない。
【００６６】
本明細書で使用される場合、「ソフトウェア」および「ファームウェア」は交換可能であり、ＲＡＭメモリ、ＲＯＭメモリ、ＥＰＲＯＭメモリ、ＥＥＰＲＯＭメモリ、および不揮発性ＲＡＭ（ＮＶＲＡＭ）メモリを含む、コンピュータが実行するメモリ内に格納された任意のコンピュータプログラムを含む。上記のメモリのタイプは単なる例示に過ぎず、したがってコンピュータプログラムの格納のために使用可能なメモリのタイプを限定するものではない。
【００６７】
上記の説明は例示するものであって、限定することを意図したものではないことを理解すべきである。例えば、上記の実施形態（および／またはその態様）は、互いに組み合わせて使用されてもよい。さらに、様々な実施形態の範囲から逸脱することなく、特定の状況または材料を様々な実施形態の教示に適合させるために、多くの変形を行うことができる。本明細書で説明した材料の寸法および種類は、様々な実施形態のパラメータを定義することを意図するが、それらは、限定するものではなく、単なる例である。多くの他の実施形態は、上記の説明を検討すると当業者には明らかであろう。したがって、様々な実施形態の範囲が、添付の特許請求の範囲、およびそのような特許請求の範囲による等価物の全範囲を参照して判断される。添付した特許請求の範囲において、「含む（ｉｎｃｌｕｄｉｎｇ）」および「そこにおいて（ｉｎ  ｗｈｉｃｈ）」という用語は、それぞれ「備える（ｃｏｍｐｒｉｓｉｎｇ）」および「そこにおいて（ｗｈｅｒｅｉｎ）」という用語の平易な英語に相当するものとして用いられる。さらに、以下の特許請求の範囲において、「第１の」、「第２の」、および「第３の」などの用語は、単にラベルとして用いており、それらの対象物に対して数の要件を課すことを意図するものではない。さらに、以下の特許請求の範囲の限定は、そのような特許請求の範囲の限定が「のための手段（ｍｅａｎｓ  ｆｏｒ）」の後にさらなる構造のない機能についての記載が続くフレーズを明白に用いない限り、そしてそうするまでは、ミーンズプラスファンクション形式で書かれたものではなく、米国特許法第１１２条（ｆ）に基づいて解釈されることを意図するものではない。
【００６８】
本明細書は最良の形態を含む様々な実施形態を開示するため、および、あらゆるデバイスまたはシステムを製作し、ならびに使用し、およびあらゆる組込方法を実行することを含む任意の当業者が様々な実施形態を実施することを可能にするための例を用いる。様々な実施形態の特許可能な範囲は、特許請求の範囲によって定義され、当業者が想到するその他の実施例を含むことができる。このような他の実施例が特許請求の範囲の文字通りの言葉と異ならない構造要素を有する場合、または、実施例が特許請求の範囲の文字通りの言葉と実質的な差異がなく等価な構造要素を含む場合には、このような他の実施例は特許請求の範囲内であることを意図している。
【符号の説明】
【００６９】
１００  撮像システム
１０２  第１の撮像ユニット
１０４  第２の撮像ユニット
１１０  ＣＴ取得ユニット
１１２  Ｘ線源
１１４  ＣＴ検出器
１１６  ガントリ
１１８  ボア
１２０  処理ユニット
１２２  再構成モジュール
１２４  判定モジュール
１２６  制御モジュール
１２８  メモリ
１４０  出力ユニット、ディスプレイユニット
１５０  入力ユニット
１６０  処理ユニット
３００  ディスプレイ
３２０  ユーザ選択ボタン
４００  非造影ＣＴディスプレイ
４１０  斜め図
４２０  軸方向図
４３０  矢状図
４４０  冠状図
５００  ＣＴＡディスプレイ
５１０  冠状図
５２０  軸方向図
５３０  矢状図
６００  ＣＴＡディスプレイ
６１０  第１の位相図
６２０  第２の位相図
６３０  第３の位相図
７００  ＣＴ灌流、ディスプレイ
７１０  画像図
７２０  グラフ
７３０  画像図
７４０  画像図
９００  ＣＴ撮像システム
９１０  ガントリ
９１２  Ｘ線源
９１３  ソースコリメータ
９１４  検出器アレイ
９１５  ボウタイフィルタモジュール
９１６  検出器要素
９１７  被験者
９１８  コンピュータ
９２２  電動テーブル
９４０  回転中心
９４２  制御機構
９４４  Ｘ線コントローラ
９４６  ガントリモータコントローラ
９４８  データ収集システム（ＤＡＳ）
９５０  画像再構成装置
９５２  記憶装置
９６０  コンソール
９６２  視覚的ディスプレイユニット
９６４  テーブルモータコントローラ
９７０  デバイス
９７２  有形の非一時的コンピュータ可読媒体
９７４  Ｘ線ビーム
【図１】
2019512307.tif 000003
【図２】
2019512307.tif 000004
【図３】
2019512307.tif 000005
【図４】
2019512307.tif 000006
【図５】
2019512307.tif 000007
【図６】
2019512307.tif 000008
【図７】
2019512307.tif 000009
【図８】
2019512307.tif 000010
【国際調査報告】
2019512307.tif 000011
2019512307.tif 000012
2019512307.tif 000013
2019512307.tif 000014
2019512307.tif 000015